(57)【特許請求の範囲】
【請求項１】
冷蔵庫本体に取り付けられる受け部材と、この受け部材奥部に設けられたファンケース内に配設された送風ファンと、前記受け部材に保持され、前方より挿脱自在とされた蒸発皿と、この蒸発皿内に配置された給水性の良い蒸発板とを備え、前記蒸発皿上に臨んで前記冷蔵庫本体からのドレンホースが引き込まれるドレン水蒸発装置において、
前記受け部材を前記冷蔵庫本体に前方より着脱自在に取り付けると共に、前記ドレンホースの引き込み位置及び前記送風ファンへの給電線の接続位置を前記受け部材の前部に配置したことを特徴とする冷蔵庫のドレン水蒸発装置。
【請求項２】
ファンケースを受け部材底面より離間して設けたことを特徴とする請求項１の冷蔵庫のドレン水蒸発装置。
【請求項３】
蒸発板の上部には切欠を形成し、この切欠に引き込まれたドレンホースを載置することを特徴とする請求項１又は請求項２の冷蔵庫のドレン水蒸発装置。
【請求項４】
蒸発板は複数枚並設されて接続部材により相互に着脱自在に接続されると共に、この接続部材を水に浮く材料にて構成したことを特徴とする請求項１、請求項２又は請求項３の冷蔵庫のドレン水蒸発装置。
【請求項５】
蒸発板は複数枚並設されて接続部材により相互に着脱自在に接続されると共に、前記接続部材には複数の挟持部を形成し、各挟持部内に各蒸発板を挟持させたことを特徴とする請求項１、請求項２又は請求項３の冷蔵庫のドレン水蒸発装置。
【請求項６】
蒸発板は複数枚並設されて接続部材により相互に着脱自在に接続されると共に、この接続部材を給水性の良い材料にて構成したことを特徴とする請求項１、請求項２又は請求項３の冷蔵庫のドレン水蒸発装置。
【請求項７】
蒸発板は送風ファンの送風方向に向けて複数枚並設されると共に、前記送風ファンによる送風量の多い箇所に密に配置したことを特徴とする請求項１、請求項２又は請求項３の冷蔵庫のドレン水蒸発装置。
【発明の詳細な説明】
【０００１】
【発明の属する技術分野】
本発明は、冷蔵庫の冷却器或いは貯蔵室などからのドレン水を蒸発処理するためのドレン水蒸発装置に関するものである。
【０００２】
【従来の技術】
従来よりこの種業務用・家庭用の冷蔵庫は、例えば特開平６−１５９９０７号公報（Ｆ２５Ｄ２１／１４）に示される如く、本体側に形成された支持部材に蒸発皿を挿脱自在に支持させ、この蒸発皿上にはドレンホースを引き込んで冷却器や貯蔵室からのドレン水を排出すると共に、蒸発皿には機械室内に設けられた送風ファンにより送風して、このドレン水を蒸発処理する構成とされている。
【０００３】
また、前記公報では蒸発皿内に繊維織布や多孔質プラスチック材などの給水性の良い材料を板状に成形した蒸発板を複数枚設けて蒸発表面積を拡大し、ドレン水をこの蒸発板に吸収させ、送風中に発散させることによって蒸発処理能力を向上させている。更に、近年では係る送風ファンと蒸発皿を受ける受け部材とを一体にユニット化し、このユニットを冷蔵庫本体に取り付ける蒸発装置も開発されている。
【０００４】
【発明が解決しようとする課題】
しかしながら、係る従来の蒸発装置は冷蔵庫本体に容易に取り付け、或いは、冷蔵庫本体から容易に取り外すことが出来なかったため、組立時、或いは、送風ファンが故障した際のメンテナンス作業が極めて面倒なものとなっていた。
【０００５】
また、蒸発板は通常複数枚並設され、それらを接続部材を介して連結すると共に、最終的にステープラーにて止める構造であったため、ドレン水に含まれる塵埃により汚れた場合、清掃することが極めて困難であった。更に、従来では単に蒸発板を並設するのみの構造であったため、蒸発能力の向上にも限界があった。
【０００６】
本発明は、係る従来の技術的課題を解決するために成されたものであり、組立及びメンテナンス作業性を向上させ、更には蒸発能力の向上を図った冷蔵庫のドレン水蒸発装置を提供するものである。
【０００７】
【課題を解決するための手段】
本発明のドレン水蒸発装置は、冷蔵庫本体に取り付けられる受け部材と、この受け部材奥部に設けられたファンケース内に配設された送風ファンと、受け部材に保持され、前方より挿脱自在とされた蒸発皿と、この蒸発皿内に配置された給水性の良い蒸発板とを備え、蒸発皿上に臨んで冷蔵庫本体からのドレンホースが引き込まれるものであって、受け部材を冷蔵庫本体に前方より着脱自在に取り付けると共に、ドレンホースの引き込み位置及び送風ファンへの給電線の接続位置を受け部材の前部に配置したものである。
【０００８】
本発明によれば、冷蔵庫本体に取り付けられる受け部材と、この受け部材奥部に設けられたファンケース内に配設された送風ファンと、受け部材に保持され、前方より挿脱自在とされた蒸発皿と、この蒸発皿内に配置された給水性の良い蒸発板とを備え、蒸発皿上に臨んで冷蔵庫本体からのドレンホースが引き込まれるドレン水蒸発装置において、受け部材を冷蔵庫本体に前方より着脱自在に取り付けると共に、ドレンホースの引き込み位置及び送風ファンへの給電線の接続位置を受け部材の前部に配置した構造としたので、冷蔵庫を組み立てる際の冷蔵庫本体への組み付け、及び、送風ファンなどのメンテナンスを行う際の取り外しを極めて容易に行えるようになる。これにより、冷蔵庫の組立作業性及びドレン水蒸発装置のメンテナンス作業性の著しい向上を図ることができるようになるものである。
【０００９】
請求項２の発明の冷蔵庫のドレン水蒸発装置は、上記においてファンケースを受け部材底面より離間して設けたものである。
【００１０】
請求項２の発明によれば、上記に加えてファンケースを受け部材底面より離間して設けたので、蒸発皿から受け部材にドレン水が溢出した場合にも、ファンケースが浸水することが無くなる。これにより、送風ファンの水没による故障を未然に回避することができるようになるものである。
【００１１】
請求項３の発明の冷蔵庫のドレン水蒸発装置は、上記各発明において蒸発板の上部には切欠を形成し、この切欠に引き込まれたドレンホースを載置するものである。
【００１２】
請求項３の発明によれば、上記各発明に加えて蒸発板の上部には切欠を形成し、この切欠に引き込まれたドレンホースを載置するようにしたので、蒸発板の高さ寸法を拡大することが可能となる。これにより、蒸発板の表面積を拡張し、ドレン水の蒸発能力を一層向上させることができるようになるものである。
【００１３】
請求項４の発明の冷蔵庫のドレン水蒸発装置は、上記各発明において蒸発板は複数枚並設されて接続部材により相互に着脱自在に接続されると共に、この接続部材を水に浮く材料にて構成したものである。
【００１４】
請求項４の発明によれば、上記各発明に加えて蒸発板を複数枚並設して接続部材により相互に着脱自在に接続する構成としたので、各蒸発板を容易に分解することが可能となり、蒸発板の清掃作業性が著しく向上する。特に、接続部材を水に浮く材料にて構成したので、蒸発皿内のドレン水位に係わらず、ドレン水上に露出する蒸発板の寸法を維持することができるようになる。これにより、蒸発板の蒸発表面積を確保し、蒸発能力の向上と安定化を図ることができるよになるものである。
【００１５】
請求項５の発明の冷蔵庫のドレン水蒸発装置は、請求項１、請求項２又は請求項３の発明において、蒸発板は複数枚並設されて接続部材により相互に着脱自在に接続されると共に、接続部材には複数の挟持部を形成し、各挟持部内に各蒸発板を挟持させたものである。
【００１６】
請求項５の発明によれば、請求項１、請求項２又は請求項３の発明に加えて、蒸発板を複数枚並設して接続部材により相互に着脱自在に接続する構成としたので、各蒸発板を容易に分解することが可能となり、蒸発板の清掃作業性が著しく向上する。特に、接続部材には複数の挟持部を形成し、各挟持部内に各蒸発板を挟持させる構成としたので、蒸発板を格別な形状に成形すること無く、接続部材により保持することが可能となり、生産コストの削減を図ることができるようになるものである。
【００１７】
請求項６の発明の冷蔵庫のドレン水蒸発装置は、請求項１、請求項２又は請求項３の発明において、蒸発板は複数枚並設されて接続部材により相互に着脱自在に接続されると共に、この接続部材を給水性の良い材料にて構成したものである。
【００１８】
請求項６の発明によれば、請求項１、請求項２又は請求項３の発明に加えて、蒸発板を複数枚並設して接続部材により相互に着脱自在に接続する構成としたので、各蒸発板を容易に分解することが可能となり、蒸発板の清掃作業性が著しく向上する。特に、接続部材も給水性の良い材料にて構成したので、この接続部材からもドレン水を吸収することができるようになり、蒸発処理能力を一層向上させることができるようになるものである。
【００１９】
請求項７の発明の冷蔵庫のドレン水蒸発装置は、請求項１、請求項２又は請求項３の発明において、蒸発板を送風ファンの送風方向に向けて複数枚並設すると共に、送風ファンによる送風量の多い箇所に密に配置したものである。
【００２０】
請求項７の発明によれば、請求項１、請求項２又は請求項３の発明に加えて、蒸発板を送風ファンの送風方向に向けて複数枚並設すると共に、送風ファンによる送風量の多い箇所に密に配置したので、蒸発板全体の枚数を増やすこと無く、蒸発板表面への通風量を増大させ、蒸発処理能力を一層向上させることができるようになるものである。
【００２１】
【発明の実施の形態】
以下、図面に基づき本発明の実施形態を詳述する。図１は本発明を適用した実施例としての業務用冷蔵庫１の斜視図、図２は業務用冷蔵庫１から本発明の蒸発装置２を取り外した状態の分解斜視図、図３は業務用冷蔵庫１の蒸発装置２部分の正面図、図４は蒸発装置２の側面図、図５は蒸発装置２の平面図、図６は蒸発板１０・・と接続部材５の分解斜視図である。
【００２２】
冷蔵庫１は例えばホテルやレストラン、ファーストフードショップなどの厨房に設置される業務用冷蔵庫であり、各図において３は前方に開口する断熱箱体から構成された本体である。この本体３内には貯蔵室７が形成されている。また、本体３の前面右側には扉８が回動自在に枢支されており、この扉８により貯蔵室７の前面開口は開閉自在に閉塞される。
【００２３】
更に、本体３の左側には機械室９が構成されており、この機械室９内には冷却装置を構成する図示しない圧縮機や凝縮器１３が配設される。尚、凝縮器１３は機械室９の周囲を囲繞するように配設されている。また、１４はこの機械室９の前面を開閉するパネルである。また、本体３の天面にはステンレス製のトップテーブル１６が取り付けられ、機械室９の上方まで覆っている。
【００２４】
一方、本体３の貯蔵室７内には網棚１７が架設されると共に、その上部は仕切板１８により区画され、この仕切板１８内には前記冷却装置を構成する図示しない冷却器と庫内送風ファン１９が配設される。そして、冷却器と熱交換した冷気は庫内送風ファン１９により貯蔵室７内に循環され、所定の冷蔵或いは冷凍温度に維持される。
【００２５】
他方、本体３の下面３Ａ四隅には所定高さ寸法の台脚２１・・・が取り付けられており、この台脚２１・・・によって下面３Ａの下側には後述する蒸発装置などを配設するための下部空間４が形成されている。また、本体３の下面３Ａ前部左右には取付板６、６が設けられており、これら取付板６には図示しない台下ガードが着脱自在に取り付けられ、下部空間４の前方を隠蔽する構成とされている。
【００２６】
更に、本体３の下面３Ａには前記各取付板６、６の内側において支持レール１１、１１が左右に位置して前後にそれぞれ延在し、取り付けられており、その前端には手指にて締緩可能な化粧ビス１２、１２が螺合するビス孔が形成された被取付面１１Ａ、１１Ａが前方に向けて形成されている。
【００２７】
また、下面３Ａ前部からは前記冷却器下側の図示しない露受皿及び貯蔵室７内に連通し、それらからのドレン水を排出するためのドレンホース２３と、後述する送風ファン２２に通電するための本体側給電線２４が下部空間４にそれぞれ引き出されており、本体側給電線２４の先端にはカプラ２４Ａが取り付けられている。
【００２８】
一方、２は蒸発装置であり、例えば鋼板製の受け部材２６と、この受け部材２６の後部に形成されたファンケース２７と、このファンケース２７内に取り付けられた軸流ファンから成る送風ファン２２と、受け部材２６に挿脱自在に保持される樹脂製或いは鋼板製の蒸発皿２８と、この蒸発皿２８内に配置された蒸発板１０・・・などから構成されている。
【００２９】
受け部材２６は底面２６Ａと、左右側面２６Ｂ、２６Ｂと、この左右側面２６Ｂ、２６Ｂの上端を直角に内側に折曲して形成されたフランジ２６Ｃ、２６Ｃと、各フランジ２６Ｃ、２６Ｃの前端において前方に向けて形成された取付面２６Ｄ、２６Ｄとから成り、各取付面２６Ｄ、２６Ｄには前記化粧ビス１２、１２が螺合或いは挿通可能なビス孔が形成されている。
【００３０】
前記ファンケース２７は係る受け部材２６の奥部（後部）内側に固定されており、前後に開口して内部の送風ファン２２を前後に露出させている。このとき、ファンケース２７の下端は受け部材２６の底面２６Ａよりも離間し、浮いた状態で取り付けられている。また、ファンケース２７より後方の左右側面２６Ｂ、２６Ｂにはスリット３１・・が穿設されている。
【００３１】
更に、左側面２６Ｂの前部上側には透孔３２が穿設されており、この透孔３２は前記ドレンホース２３が通過可能な寸法とされている。また、前記送風ファン２２から引き出されたファン側給電線３３は左側面２６Ｂの外側前部に引き回され、その先端にはカプラ３３Ａが取り付けられている。
【００３２】
また、前記蒸発皿２８は上方に開放した矩形皿状を呈しており、ファンケース２７よりも前方の受け部材２６の底面２６Ａ上に前方から挿脱自在に載置される寸法とされている。そして、この蒸発皿２８内には蒸発板１０が複数枚配置される。
【００３３】
この蒸発板１０は、繊維織布や多孔質プラスチック材などの給水性の良い材料を長方形板状に成形して構成されており、前記送風ファン２２の送風方向である前後方向に向け、左右に所定の間隔を存して設けられるが、その際、軸流ファンである送風ファン２２による送風量の多い左右側部は密に、中央部は疎に配置される（図５参照）。
【００３４】
更に、係る各蒸発板１０・・の間隔は接続部材５、５によって保持されている。この接続部材５は蒸発板１０同様の吸水性の良い材料にて構成されており、図６に示す如く板状を呈した上縁には前記蒸発板１０・・の間隔に合致した間隔（図では分かり易くするために等間隔で示している）で切込３６・・が形成されている。
【００３５】
一方、各蒸発板１０の下縁前後にも切込３７、３７が形成されており、これら接続部材５、５の切込３６・・に各蒸発板１０の切込３７、３７を着脱自在に嵌合接続させることによって、蒸発板１０・・・と接続部材５、５は組み立てられている。この状態で、各蒸発板１０・・・は相互に前述の間隔を保持される。
【００３６】
以上の構成で、本発明の蒸発装置２を本体３に組み付ける際には、蒸発皿２８が載置された状態で、受け部材２６のフランジ２６Ｃ、２６Ｃ後端を前方から支持レール１１、１１の前端に摺動自在に載置し、そのまま奥方に押し込んで行く。尚、このとき前記台下ガードは撤去しておく。やがて受け部材２６の取付面２６Ｄ、２６Ｄが支持レール１１、１１の被取付面１１Ａ、１１Ａに当接すると受け部材２６はそれ以上押し込めなくなる。
【００３７】
この状態で受け部材２６は下部空間４の所定位置に配置されると共に、取付面２６Ｄのビス孔と被取付面１１Ａのビス孔とは合致する。そして、前記化粧ビス１２、１２を前方から前記ビス孔に着脱自在に螺合させることにより、受け部材２６を本体３に固定する。
【００３８】
次ぎに、ドレンホース２３を透孔３２から受け部材２６内に引き込み、蒸発皿２８上に開口させる。このとき、透孔３２の側方に対応する位置の蒸発板１０の前部上縁に図４の如く半円状の切欠１０Ａを形成しておき、引き込まれたドレンホース２３をこの切欠１０Ａ上に載置するようにすれば、蒸発板１０の高さ寸法を拡大して、蒸発板１０の表面積を拡張し、ドレン水の蒸発能力を向上させることができるようになる。
【００３９】
次ぎに、本体側給電線２４のカプラ２４Ａとファン側給電線３３のカプラ３３Ａを下面３Ａの前部において接続し、組み付けを完了する。この状態で、前記冷却器或いは貯蔵室７からのドレン水はドレンホース２３内を伝って蒸発皿２８内に流入し、貯留される。前記蒸発板１０・・及び接続部材５、５は蒸発皿２８内に貯留されたドレン水に浸漬されるかたちとなるので、ドレン水は蒸発板１０・・及び接続部材５、５に吸収される。
【００４０】
吸収されたドレン水は毛管現象によりドレン水上に露出している部分に移動する。一方、送風ファン２２は給電されて回転し、前方から空気を吸引して後方に排気する。これにより、ドレン水上に露出している部分の蒸発板１０・・には通風が行われ、そこに移動して来たドレン水は当該部分の蒸発板１０・・表面から蒸散される。
【００４１】
このとき、送風ファン２２による送風量の多い左右両側部は蒸発板１０が密に配設されているので、蒸発板全体の枚数を増やすこと無く、蒸発板１０表面への通風量を増大させ、蒸発処理能力を向上させることができるようになる。
【００４２】
次ぎに、前記送風ファン２２が故障した際には、前記台下ガードを取り外した状態で、前部に位置するドレンホース２３を受け部材２６から引き抜くと共に、各給電線２４、３３のカプラ２４Ａ、３３Ａを外した後、化粧ビス１２、１２を手指で緩めて取り外し、受け部材２６を手前側に引き出すことにより、蒸発装置２は本体３から取り外すことができる。
【００４３】
以上の構成により本発明の蒸発装置２では、冷蔵庫１を組み立てる際の本体３への組み付け、及び、送風ファン２２のメンテナンスを行う際の取り外しを前方から極めて容易に行えるようになる。これにより、冷蔵庫１の組立作業性及び蒸発装置２のメンテナンス作業性の著しい向上を図ることができるようになる。
【００４４】
また、各蒸発板１０・・と接続部材５、５は容易に分解することができるので、蒸発板１０の汚れた場合にも容易に清掃することができるようになる。特に、接続部材５、５も給水性の良い材料にて構成したので、この接続部材５、５からもドレン水を吸収することができるようになり、蒸発処理能力が一層向上する。
【００４５】
更に、ファンケース２７を受け部材２６底面２６Ａより離間して設けたので、蒸発皿２８から受け部材２６にドレン水が溢出した場合にも、ファンケース２７が浸水することが無くなる。これにより、送風ファン２２の水没による故障を未然に回避することができるようになる。
【００４６】
次ぎに、図７は蒸発板１０及び接続部材５、５の他の実施例を示している。この場合、蒸発板１０には前述同様の素材にて形成されているが、前述の如き切込は形成されていない。一方、接続部材５は水に浮く比重の小さいプラスチック材料などにて成形されており、一側縁には相互に対向する複数対の腕４１、４１・・が形成されており、各腕４１、４１間に前述同様の間隔を存して複数の挟持部４２・・が構成されている。
【００４７】
各腕部４１、４１は先端部が相互に近接するように鉤状に屈曲しており（図９）、且つ、近接する腕部４１、４１の先端間の間隔は蒸発板１０の板厚よりも若干小さく構成されている。そして、前後一対の接続部材５を対向させ、各挟持部４２・・・内に蒸発板１０の前後縁を挿入し、各腕４１、４１間に着脱自在に挟持させることにより、蒸発板１０・・・と接続部材５、５は組み立てられる。
【００４８】
このように、蒸発板１０を複数枚並設して接続部材５、５により相互に着脱自在に接続する構成としたので、前述同様に各蒸発板１０・・を容易に分解することが可能となり、蒸発板１０の清掃作業性が著しく向上する。特に、接続部材５には複数の挟持部４２・・を形成し、各挟持部４２・・内に各蒸発板１０・・を挟持させる構成としたので、蒸発板１０に切込を成形すること無く、接続部材５、５により保持することが可能となり、生産コストの削減を図ることができるようになる。
【００４９】
また、接続部材５を水に浮く材料にて構成したので、蒸発板１０・・と接続部材５、５の組立体は、蒸発皿２８内のドレン水中に下端の一部を浸漬した状態で浮くかたちとなる。従って、図１０の如く蒸発皿２８内のドレン水位ＷＬが上昇した場合でも、或いは、図１１の如くドレン水位ＷＬが低下した場合にも、蒸発板１０の殆どの部分はドレン水上に露出し（各図にハッチングで示す）、且つ、その寸法も略一定となる。
【００５０】
ここで、接続部材５を比重の重い部材にて構成すると、図１２に示す如くドレン水位ＷＬが上昇しても、接続部材５は浮くことができずに蒸発皿２８内底部に沈むことになる。そのため、蒸発板１０の殆どの部分は蒸発皿２８内に水没してしまい、ドレン水上に露出する蒸発板１０の寸法（図１２にハッチングで示す）は著しく小さくなってしまうが、この実施例によれば前述の如く蒸発皿２８内のドレン水位ＷＬに係わらず、ドレン水上に露出する蒸発板１０の寸法を維持することができるようになる。これにより、蒸発板１０の蒸発表面積を確保し、蒸発能力の向上と安定化を図ることができるよになる。
【００５１】
尚、実施例では業務用冷蔵庫に本発明を適用したが、それに限らず、家庭用冷蔵庫やショーケースなどに適用しても本発明は有効である。
【００５２】
【発明の効果】
以上詳述した如く本発明によれば、冷蔵庫本体に取り付けられる受け部材と、この受け部材奥部に設けられたファンケース内に配設された送風ファンと、受け部材に保持され、前方より挿脱自在とされた蒸発皿と、この蒸発皿内に配置された給水性の良い蒸発板とを備え、蒸発皿上に臨んで冷蔵庫本体からのドレンホースが引き込まれるドレン水蒸発装置において、受け部材を冷蔵庫本体に前方より着脱自在に取り付けると共に、ドレンホースの引き込み位置及び送風ファンへの給電線の接続位置を受け部材の前部に配置した構造としたので、冷蔵庫を組み立てる際の冷蔵庫本体への組み付け、及び、送風ファンなどのメンテナンスを行う際の取り外しを極めて容易に行えるようになる。これにより、冷蔵庫の組立作業性及びドレン水蒸発装置のメンテナンス作業性の著しい向上を図ることができるようになるものである。
【００５３】
請求項２の発明によれば、上記に加えてファンケースを受け部材底面より離間して設けたので、蒸発皿から受け部材にドレン水が溢出した場合にも、ファンケースが浸水することが無くなる。これにより、送風ファンの水没による故障を未然に回避することができるようになるものである。
【００５４】
請求項３の発明によれば、上記各発明に加えて蒸発板の上部には切欠を形成し、この切欠に引き込まれたドレンホースを載置するようにしたので、蒸発板の高さ寸法を拡大することが可能となる。これにより、蒸発板の表面積を拡張し、ドレン水の蒸発能力を一層向上させることができるようになるものである。
【００５５】
請求項４の発明によれば、上記各発明に加えて蒸発板を複数枚並設して接続部材により相互に着脱自在に接続する構成としたので、各蒸発板を容易に分解することが可能となり、蒸発板の清掃作業性が著しく向上する。特に、接続部材を水に浮く材料にて構成したので、蒸発皿内のドレン水位に係わらず、ドレン水上に露出する蒸発板の寸法を維持することができるようになる。これにより、蒸発板の蒸発表面積を確保し、蒸発能力の向上と安定化を図ることができるよになるものである。
【００５６】
請求項５の発明によれば、請求項１、請求項２又は請求項３の発明に加えて、蒸発板を複数枚並設して接続部材により相互に着脱自在に接続する構成としたので、各蒸発板を容易に分解することが可能となり、蒸発板の清掃作業性が著しく向上する。特に、接続部材には複数の挟持部を形成し、各挟持部内に各蒸発板を挟持させる構成としたので、蒸発板を格別な形状に成形すること無く、接続部材により保持することが可能となり、生産コストの削減を図ることができるようになるものである。
【００５７】
請求項６の発明によれば、請求項１、請求項２又は請求項３の発明に加えて、蒸発板を複数枚並設して接続部材により相互に着脱自在に接続する構成としたので、各蒸発板を容易に分解することが可能となり、蒸発板の清掃作業性が著しく向上する。特に、接続部材も給水性の良い材料にて構成したので、この接続部材からもドレン水を吸収することができるようになり、蒸発処理能力を一層向上させることができるようになるものである。
【００５８】
請求項７の発明によれば、請求項１、請求項２又は請求項３の発明に加えて、蒸発板を送風ファンの送風方向に向けて複数枚並設すると共に、送風ファンによる送風量の多い箇所に密に配置したので、蒸発板を全体の枚数を増やすこと無く、蒸発板表面への通風量を増大させ、蒸発処理能力を一層向上させることができるようになるものである。
【図面の簡単な説明】
【図１】本発明を適用した実施例としての業務用冷蔵庫の斜視図である。
【図２】業務用冷蔵庫から本発明の蒸発装置を取り外した状態の分解斜視図である。
【図３】業務用冷蔵庫の蒸発装置部分の正面図である。
【図４】本発明の蒸発装置の側面図である。
【図５】本発明の蒸発装置の平面図である。
【図６】蒸発板と接続部材の分解斜視図である。
【図７】他の実施例の蒸発板と接続部材の斜視図である。
【図８】図７の蒸発板と接続部材の分解斜視図である。
【図９】図７の接続部材の平面図である。
【図１０】蒸発皿内のドレン水位が上昇した場合の図７の蒸発板及び接続部材の状態を説明する図である。
【図１１】蒸発皿内のドレン水位が低下した場合の図７の蒸発板及び接続部材の状態を説明する図である。
【図１２】比重の重い接続部材を使用した際に蒸発皿内のドレン水位が上昇した場合の蒸発板及び接続部材の状態を説明する図である。
【符号の説明】
１  業務用冷蔵庫
２  蒸発装置
５  接続部材
１０  蒸発板
１２  化粧ビス
２２  送風ファン
２３  ドレンホース
２４、３３  給電線
２６  受け部材
２７  ファンケース
２８  蒸発皿
３２  透孔
４２  挟持部
【図１】
0003649838.tif 000002
【図２】
0003649838.tif 000003
【図３】
0003649838.tif 000004
【図４】
0003649838.tif 000005
【図５】
0003649838.tif 000006
【図６】
0003649838.tif 000007
【図７】
0003649838.tif 000008
【図８】
0003649838.tif 000009
【図９】
0003649838.tif 000010
【図１０】
0003649838.tif 000011
【図１１】
0003649838.tif 000012
【図１２】
0003649838.tif 000013